(57)【特許請求の範囲】
【請求項１】
負荷（２）を加熱する加熱コイル（３ｃ）、（４ｃ）と、前記加熱コイル（３ｃ）、（４ｃ）を制御する誘導加熱制御回路（３ｋ）、（４ｋ）と、これら各部の電圧、電流または温度を検出してアナログ信号で出力する検出回路（３ｂ）、（３ｅ）、（３ｈ）、（３ｊ）、（４ｂ）、（４ｅ）、（４ｈ）、（４ｊ）を有する複数の誘導加熱部（３）、（４）と、商用電源（１）のゼロクロス点に同期した信号を出力する同期信号発生回路（７）と、電源電圧を検出してアナログ信号で出力する検出回路（６）と、アナログ信号をデジタル値に変換する複数のＡＤ入力端子を有するマイクロコンピュータ（９）と、前記ＡＤ入力端子の前段に配される信号切替手段（８）とを備えた誘導加熱調理器において、前記複数の検出回路から出力される複数のアナログ信号を高速度で変化する信号の順に順位付けして、順位の高いアナログ信号は優先的に直接前記ＡＤ入力端子に接続し、その他のアナログ信号は前記信号切替手段（８）を経由して前記ＡＤ入力端子に接続する構成とし、前記マイクロコンピュータ（９）は前記同期信号発生回路（７）の信号に同期した切替信号を出力して前記信号切替手段（８）に接続されたアナログ信号を周期的に切替えて前記ＡＤ入力端子に接続することを特徴とする誘導加熱調理器。
【請求項２】
順位の高いアナログ信号は、前記検出回路（３ｂ）、（３ｅ）、（３ｈ）、（３ｊ）、（４ｂ）、（４ｅ）、（４ｈ）、（４ｊ）、（６）で検出されるコイル電流、入力電流、電源電圧の全部又は一部を含む構成とした請求項１記載の誘導加熱調理器。
【請求項３】
一つあるいは複数の抵抗加熱部（５）を備え、夫々の抵抗加熱部（５）に負荷（２）の温度を直接あるいは間接に検出する負荷温度検出回路（５ｅ）を備え、前記負荷温度検出回路（５ｅ）から出力されるアナログ信号を含めて順位付けを行う構成とした請求項１乃至請求項２の誘導加熱調理器。
【請求項４】
信号切替手段（８）を経由して前記ＡＤ入力端子に接続される同種のアナログ信号を有する場合、同種のアナログ信号を信号切替手段（８）内の一つのスイッチ回路を経由して前記ＡＤ入力端子に接続する構成とした請求項１乃至請求項３の誘導加熱調理器。
【発明の詳細な説明】
【０００１】
【発明の属する技術分野】
本発明は、複数の誘導加熱部を有する誘導加熱調理器の制御手段に関するものである。
【０００２】
【従来の技術】
従来の誘導加熱調理器は、裸火が出ず、負荷の温度制御が可能で安全性が高いことから、卓上のガステーブル等に代わる熱源として認知されている。さらに、システムキッチン等に組み込まれる電気調理器としては、従来シーズヒータやプレートヒータ、ハロゲンヒータ等の抵抗体を熱源としたものから、一部を誘導加熱に置き換えたものに代わりつつある。
【０００３】
この誘導加熱調理器は、使用者の操作するキースイッチの入力、加熱手段の操作出力や状態を検出するセンサ信号入力等の制御を行う手段としてマイクロコンピュータを使用している。
【０００４】
このマイクロコンピュータは、所謂ワンチップマイコンと呼ばれ、入出力端子やアナログ信号をデジタル値に変換（以後ＡＤ変換と云う。）するための入力端子（以後ＡＤ入力端子と云う。）、デジタル値からアナログ信号に変換して出力する出力端子、タイマー機能等を夫々複数有している。そして、一般的なワンチップマイコンは８本のＡＤ入力端子を備えている。
【０００５】
加熱部として誘導加熱部のみ有する誘導加熱調理器の場合は、コイル電流、入力電流、電源電圧等動作状態を把握するための検出回路や、負荷、インバータ部の発熱部品の温度を検出するサーミスタ等の温度センサを備えた温度検出回路等が出力するアナログ信号をマイクロコンピュータのＡＤ入力端子に接続して、夫々の信号を適時ＡＤ変換してソフトウェア処理を行っている。
【０００６】
また、誘導加熱部に加えて抵抗加熱部を有する誘導加熱調理器の場合には、さらに抵抗加熱部の負荷温度を検出する温度センサを備えた負荷温度検出回路を設け、そのアナログ信号出力をＡＤ入力端子に接続してソフトウェア処理を行っている。
【０００７】
ところが、複数の誘導加熱部を有する電流共振形の誘導加熱調理器の場合、コイル電流、入力電流、負荷温度、スイッチング素子温度等の動作状態を示すアナログ信号が誘導加熱部の搭載数に比例して増加するとともに、前記以外に電源電圧等のアナログ信号も必要となる。つまり、二つの誘導加熱部を備えた場合、アナログ信号の総数は９本となり、さらに一つの抵抗加熱部を備えた場合にはアナログ信号の総数は１０本などとなるので、一般的なマイクロコンピュータが備えている８本のＡD入力端子では不足となる。
【０００８】
従来は、このような場合に対処する第一の方法として、誘導加熱部の数と同数のマイクロコンピュータを搭載してＡD入力端子の数を増やし、複数のマイクロコンピュータ間で相互に通信し、連携して制御を行う構成のものがある。
【０００９】
しかし、この方法では、マイクロコンピュータ及びその周辺部品の増加によるコストのアップが大きく、さらに、マイクロコンピュータ間の通信のためのソフトウェアが増加し、アナログ信号関連データのソフトウェア処理も煩雑となって、ソフト開発期間の長期化やソフト開発コストが増大するという問題がある。
【００１０】
第二の方法として、信号切替手段をＡＤ入力端子の前段に配して、見掛け上ＡD入力端子を増加させる構成のものがある。この方法は、信号切替手段としてＣＭＯＳの複数チャンネルアナログマルチプレクサＩＣを使用すればマイクロコンピュータを使用するより安価に実施可能である。
【００１１】
この第二の方法による一例を図４を用いて説明する。図４は従来例の二つの誘導加熱部を有する誘導加熱調理器の主要部概略ブロック図である。
【００１２】
図において、商用電源１に誘導加熱部３、４、電源電圧検出回路６及び同期信号発生回路７が接続される。
【００１３】
誘導加熱部３、４は夫々図示していないコイル電流、入力電流、負荷温度、スイッチング素子温度のセンサを含む四つの検出回路を備え、これらの動作状態をアナログ信号として出力する。これら８本の出力は信号切替手段８の入力に接続される。また、これら誘導加熱部３、４の入力部は夫々マイクロコンピュータ９の出力端子（ＯＵＴ１）、（ＯＵＴ２）から出力されるスイッチング素子の制御信号と接続される。
【００１４】
信号切替手段８は２入力を切替えるスイッチ回路を４回路と、夫々のスイッチ回路に対応した図示していないフィルタ回路と、切替信号入力部を備え、外部からの切替信号によって切替えるべきスイッチ回路および入力を選んで適宜入力を切替えて出力する。
【００１５】
前記スイッチ回路の入力には誘導加熱部３、４から出力される８本のアナログ信号が接続される。信号切替手段８の４本の出力は、マイクロコンピュータ９の４本のＡＤ入力端子（ＡＤ１）、（ＡＤ２）、（ＡＤ３）、（ＡＤ４）に接続され、切替信号の入力部はマイクロコンピュータ９の切替信号出力端子（ＯＵＴ３）に接続される。
【００１６】
電源電圧を検出する電源電圧検出回路６のアナログ信号出力は、マイクロコンピュータ９のＡＤ入力端子（ＡＤ５）に接続される。
【００１７】
この従来例では、アナログ信号の総数は前記した誘導加熱部３、４のアナログ信号と電源電圧のアナログ信号を合計した９本である。
【００１８】
同期信号発生回路７は商用電源１に接続され、電源電圧のゼロクロス点を検出し、商用電源の周期に同期した信号を出力するもので、この出力はマイクロコンピュータ９の入力端子（ＩＮ１）に接続される。
【００１９】
使用者が操作するための表示部１０や入力部１１は、夫々マイクロコンピュータ９の出力端子（ＯＵＴ４）、入力端子（ＩＮ２）に接続される。
【００２０】
以上のように構成することにより、マイクロコンピュータ９は同期信号と同期して切替信号を変化させて、自在に９本のアナログ信号を選択し、処理を行っている。
（マイクロコンピュータを使用した例として特開平１０−５０４６８号公報等参照）。
【００２１】
【発明が解決しようとする課題】
しかし、上記従来の第二の方法である信号切替手段８をＡＤ入力端子の前段に配した誘導加熱調理器は、高速に処理することが困難であるという問題がある。
【００２２】
この問題を、図５を用いて詳細に説明する。図５は図４に示した従来例の主要部の各信号及び処理の関連を示す図である。尚、この図の（ａ）、（ｂ）、（ｃ）、（ｄ）に示す信号は全て時間軸を一致させて示している。
【００２３】
図５（ａ）は、信号切替手段８内の一つのスイッチ回路に入力される異なるの二つのアナログ信号（入力Ａ）、（入力Ｂ）の波形を示している。この例では二つの誘導加熱部３、４の入力電流のアナログ信号波形を示している。
【００２４】
同図（ｂ）は、同期信号発生回路７が商用電源１の周期に同期して出力する同期信号と、これに同期してマイクロコンピュータ９が出力する切替信号と、信号切替手段８で同図（ａ）の二つの入力が信号切替手段８で選択される入力を示している。
【００２５】
同図（ｃ）は、信号切替手段８の出力波形で、入力との関係が分かるように破線で入力Ａと入力Ｂの波形を示している。
【００２６】
同図（ｄ）は、マイクロコンピュータ９のＡＤ変換処理のタイミングとその時ＡＤ変換される入力を示している。
【００２７】
図より、入力Ａおよび入力ＢのＡＤ変換処理は切替信号の２周期に一回実行される。即ち、入力Ａおよび入力ＢのＡＤ変換処理は、切替信号の周期が商用電源の周期と同じであるので、一度処理が行われると電源の２周期後でないと実行されないことになり、この例のように電源の１周期以内で高速度で変化し高速に処理することが望ましい入力電流等の対応処理が困難となる。
【００２８】
このため、変化が緩やかで、その処理も低速でよい負荷温度等のアナログ信号のＡＤ変換の場合は問題とならないが、コイル電流、入力電流などは高速度で変化するので、その急変に対応できないと、スイッチング素子等が過電流、過電圧などの過負荷となって、機器の故障となる場合もある。
【００２９】
本発明は前記不具合を解決するものであり、高速に処理すべきアナログ信号の処理の遅れが生ずることのない誘導加熱調理器を提供することにある。これにより信頼性を向上させること、及びアナログ信号のソフトウェア処理の共通化を図ること、と同時にコストアップすることなくこれらを実現することが目的である。
【００３０】
【課題を解決するための手段】
本発明は上述の課題を解決するために、負荷を加熱する加熱コイルと、前記加熱コイルを制御する誘導加熱制御回路と、これら各部の電圧、電流または温度を検出してアナログ信号で出力する検出回路を有する複数の誘導加熱部と、商用電源のゼロクロス点に同期した信号を出力する同期信号発生回路と、電源電圧を検出してアナログ信号で出力する検出回路と、アナログ信号をデジタル値に変換する複数のＡＤ入力端子を有するマイクロコンピュータと、前記ＡＤ入力端子の前段に配される信号切替手段とを備えた誘導加熱調理器において、前記複数の検出回路から出力される複数のアナログ信号を高速度で変化する信号の順に順位付けして、順位の高いアナログ信号は優先的に直接前記ＡＤ入力端子に接続し、その他のアナログ信号は前記信号切替手段を経由して前記ＡＤ入力端子に接続する構成とし、前記マイクロコンピュータは前記同期信号発生回路の信号に同期した切替信号を出力して前記信号切替手段に接続されたアナログ信号を周期的に切替えて前記ＡＤ入力端子に接続するものである。
【００３１】
【発明の実施の形態】
本発明は、負荷を加熱する加熱コイルと、前記加熱コイルを制御する誘導加熱制御回路と、これら各部の電圧、電流または温度を検出してアナログ信号で出力する検出回路を有する複数の誘導加熱部と、商用電源のゼロクロス点に同期した信号を出力する同期信号発生回路と、電源電圧を検出してアナログ信号で出力する検出回路と、アナログ信号をデジタル値に変換する複数のＡＤ入力端子を有するマイクロコンピュータと、前記ＡＤ入力端子の前段に配される信号切替手段とを備えた誘導加熱調理器において、前記複数の検出回路から出力される複数のアナログ信号を高速度で変化する信号の順に順位付けして、順位の高いアナログ信号は優先的に直接前記ＡＤ入力端子に接続し、その他のアナログ信号は前記信号切替手段を経由して前記ＡＤ入力端子に接続する構成とし、前記マイクロコンピュータは前記同期信号発生回路の信号に同期した切替信号を出力して前記信号切替手段に接続されたアナログ信号を周期的に切替えて前記ＡＤ入力端子に接続するものである。
【００３２】
具体的には、順位の高いアナログ信号は、前記検出回路で検出されるコイル電流、入力電流、電源電圧の全部又は一部を含む構成としたものである。
【００３３】
さらに、一つあるいは複数の抵抗加熱部も備えた場合には、夫々の抵抗加熱部に負荷の温度を直接あるいは間接に検出する負荷温度検出回路を備え、前記負荷温度検出回路から出力されるアナログ信号を含めて順位付けを行う構成としたものである。
【００３４】
また、信号切替手段を経由して前記ＡＤ入力端子に接続される同種のアナログ信号を有する場合、同種のアナログ信号を信号切替手段内の一つのスイッチ回路を経由して前記ＡＤ入力端子に接続する構成としたものである。
【００３５】
これによって、高速に処理すべきアナログ信号の処理の遅れが生ずることのない誘導加熱調理器とすることができる。
【００３６】
【実施例】
以下、本発明の実施例を図面に従って説明する。
【００３７】
第一の実施例は、二つの電流共振形の誘導加熱部と、魚等を焼くヒータによる抵抗加熱部を有する誘導加熱調理器の例である。
【００３８】
図１は本発明の第一の実施例の回路ブロック図、図２は本発明の第一の実施例の主要部の各信号及び処理の関連を示す図、図３は本発明の第二の実施例の主要部概略ブロック図である。
【００３９】
図１において、１は交流の商用電源である。２は鍋等の負荷である。
【００４０】
３および４は誘導加熱部で、これらの入力は商用電源１に接続される。誘導加熱部３、４の内部構成は全く同じで、次にこれらの内部構成を説明する。
【００４１】
３ａ、４ａは各々誘導加熱部３および誘導加熱部４（以下「各々誘導加熱部３および誘導加熱部４」は省略する。）の負荷の温度を検出するサーミスタ等の負荷温度センサである。３ｂ、４ｂは負荷温度センサ３ａ、４ａの信号をレベル調整しアナログ信号に変換する負荷温度検出回路であり、該センサを含む構成である（以下同様に、各検出回路は該センサを含む構成であるが、その旨を省略する。）。
【００４２】
３ｃ、４ｃは負荷に渦電流を発生させ加熱する加熱コイルである。３ｄ、４ｄは加熱コイル３ｃ、４ｃに流れるコイル電流を検出するコイル電流センサである。３ｅ、４ｅはコイル電流センサ３ｄ、４ｄの信号をレベル調整しアナログ信号に変換するコイル電流検出回路である。
【００４３】
３ｆ、４ｆは加熱コイルを高周波で駆動するスイッチング素子である。３ｇ、４ｇはスイッチング素子３ｆ、４ｆの温度を検出するスイッチング素子温度センサである。３ｈ、４ｈはスイッチング素子温度センサ３ｇ、４ｇの信号をレベル調整しアナログ信号に変換するスイッチング素子温度検出回路である。
【００４４】
３ｉ、４ｉは誘導加熱部の入力電流を検出する入力電流センサである。３ｊ、４ｊは入力電流センサ３ｉ、４ｉの信号をレベル調整しアナログ信号に変換する入力電流検出回路である。
【００４５】
３ｋ、４ｋは後記マイクロコンピュータ９の出力端子（ＯＵＴ２）、（ＯＵＴ３）から出力される制御信号によってスイッチング素子３ｆ、４ｆの駆動信号を出力する誘導加熱制御手段である。
【００４６】
５は魚等を焼くヒータによる抵抗加熱部で、商用電源１および後記マイクロコンピュータ９に接続される。次にその内部構成を説明する。
【００４７】
５ａはシーズヒータ等のヒータである。５ｂはヒータ５ａをオンオフするスイッチング素子である。５ｃはスイッチング素子５ｂを制御するヒータ制御回路である。
【００４８】
５ｄは抵抗加熱部５の負荷の温度を直接または間接に検出する抵抗加熱部負荷温度センサである。５ｅは抵抗加熱部負荷温度センサ５ｄの信号をレベル調整しアナログ信号に変換する抵抗加熱部負荷温度検出回路である。
【００４９】
６は商用電源１に接続され、誘導加熱部３、４や抵抗加熱部５の電源電圧を検出し、レベル調整してアナログ信号に変換する電源電圧検出回路である。
【００５０】
７は商用電源１に接続され、電源電圧のゼロクロス点を検出し、電源の周期に同期した信号を出力する同期信号発生回路である。
【００５１】
８は入力されるアナログ信号を外部からの切替信号によって切替え、フィルタ回路を経て出力する信号切替手段で、後記の回路８ａ１、８ａ２、８ｂ１、８ｂ２で構成される。
【００５２】
この例では、８ａ１、８ａ２は２入力のスイッチ回路で、夫々二つの入力信号を切替えて出力する。８ｂ１、８ｂ２は前段のスイッチ回路８ａ１、８ａ２の出力信号をノイズ等を除去して出力するフィルタ回路である。
【００５３】
この実施例では、スイッチ回路８ａ１の入力部には誘導加熱部３、４の負荷温度検出回路３ｂ、４ｂが接続され、スイッチ回路８ａ２の入力部には誘導加熱部３、４のスイッチング素子温度検出回路３ｈ、４ｈが接続され、夫々の出力はフィルタ回路８ｂ１、８ｂ２を経て出力される。つまり同種のアナログ信号を信号切替手段８内の一つのスイッチ回路を経由して出力する。
【００５４】
９は複数の入出力端子、８本のＡＤ入力端子（ＡＤ１）〜（ＡＤ８）、タイマー機能等を有し、制御回路全体を制御するマイクロコンピュータである。
【００５５】
マイクロコンピュータ９のＡＤ入力端子（ＡＤ１）はコイル電流検出回路３ｅの出力と、ＡＤ入力端子（ＡＤ２）は入力電流検出回路３ｊの出力と、ＡＤ入力端子（ＡＤ３）はフィルタ回路８ｂ１の出力と、ＡＤ入力端子（ＡＤ４）はフィルタ回路８ｂ２の出力と、ＡＤ入力端子（ＡＤ５）はコイル電流検出回路４ｅと、ＡＤ入力端子（ＡＤ６）は入力電流検出回路４ｊと、ＡＤ入力端子（ＡＤ７）は抵抗加熱部負荷温度検出回路５ｅの出力と、ＡＤ入力端子（ＡＤ８）は電源電圧検出回路６の出力と各々接続されている。
【００５６】
マイクロコンピュータ９の出力端子（ＯＵＴ１）は信号切替手段８の入力と、出力端子（ＯＵＴ２）は誘導加熱部３の誘導加熱制御手段３ｋの入力と、出力端子（ＯＵＴ３）は誘導加熱部４の誘導加熱制御手段４ｋの入力と、出力端子（ＯＵＴ４）は抵抗加熱部５のヒータ制御回路５ｃと、入力端子（ＩＮ１）は同期信号発生回路７の出力と夫々接続されている。
【００５７】
１０は制御状態を表示する表示部で、マイクロコンピュータ９の出力端子（ＯＵＴ５）と接続されている。１１は使用者が操作を行うキースイッチ等で構成される入力部で、マイクロコンピュータ９の入力端子（ＩＮ２）と接続されている。尚、この出力端子（ＯＵＴ５）および入力端子（ＩＮ２）は夫々複数の端子で構成されている。
【００５８】
この実施例では、アナログ信号が１０本あり、これらを高速度で変化する信号の順に順位付けを行うと、電源周期より高速度で変化するコイル電流、入力電流、電源電圧、次に電源周期より低速度で変化する抵抗加熱部負荷温度、スイッチング素子温度、誘導加熱部の負荷温度の順となる。
【００５９】
従って、前記したように、コイル電流、入力電流、電源電圧、抵抗加熱部負荷温度の各検出回路出力計６本を直接ＡＤ入力端子に接続し、スイッチング素子温度および負荷温度の検出回路出力計４本を信号接続手段８を経由してＡＤ入力端子に接続する構成としている。
【００６０】
前記構成において、全体の動作を説明する。
【００６１】
使用者が負荷２を誘導加熱部３の加熱コイル３bの上に置き、誘導加熱を行うため入力部１１の所定のキースイッチを押すと、マイクロコンピュータ９の入力端子（ＩＮ２）に信号が入力され、マイクロコンピュータ９はその旨を判断して、表示部１０に制御状態を示す信号を出力端子（ＯＵＴ５）から出力し、その信号により表示部１０は所定の表示を行う。
【００６２】
ほぼ同時に、マイクロコンピュータ９は出力端子（ＯＵＴ２）から誘導加熱部制御手段３ｋに信号を出力し、誘導加熱部制御手段３ｋはその信号によりスイッチング素子３ｆを高周波で駆動し、加熱コイル３ｃに高周波電流が流れ、この高周波電流によって負荷２に渦電流が発生し、そのジュール熱で負荷２自体を発熱させる。
【００６３】
加熱が開始されると、マイクロコンピュータ９は電源電圧検出回路６、負荷温度検出回路３ｂ、４ｂ、コイル電流検出回路３ｅ、４ｅ、スイッチング素子温度検出回路３ｈ、４ｈ、入力電流検出回路３ｊ、４ｊの各アナログ信号を同期信号発生回路７の信号に同期して入力し、内部でＡＤ変換しソフトウェア処理を行いながら、適宜誘導加熱部３および表示部１０の制御を行う。
【００６４】
このとき、負荷温度検出回路３ｂ、４ｂのアナログ信号とスイッチング素子温度検出回路３ｈ、４ｈのアナログ信号は、信号切替手段８を経由してマイクロコンピュータ９のＡＤ入力端子（ＡＤ３）、（ＡＤ４）に入力されるので、マイクロコンピュータ９は切替信号を出力端子（ＯＵＴ１）から信号切替手段８に出力し、前記四つのアナログ信号を周期的に切替えて接続して、ＡＤ変換処理を行い、ＡＤ変換後のデジタル値に応じたソフトウェア処理を行って加熱動作を進行させる。
【００６５】
尚、この実施例では、加熱を行わない誘導加熱部４の負荷温度等のアナログ信号も処理しているのは、誘導加熱部４の加熱も同時に行う場合とアナログ信号のソフトウェア処理を共通化しているためである。
【００６６】
次に、図２を用いてアナログ信号の切替に関する信号の詳細に説明する。尚、この図の（ａ）、（ｂ）、（ｃ）、（ｄ）に示す信号は全て時間軸を一致させて示している。
【００６７】
図２（ａ）は、信号切替手段８内の一つのスイッチ回路に入力される異なるの二つのアナログ信号（入力Ａ）、（入力Ｂ）の波形を示している。この例では、入力Ａは誘導加熱部３の負荷温度検出回路３ｂの出力信号、入力Ｂは誘導加熱部４の負荷温度検出回路４ｂの出力信号の波形を示している。
【００６８】
同図（ｂ）は、同期信号発生回路７が商用電源１の周期に同期して出力する同期信号と、これに同期してマイクロコンピュータ９の出力端子（ＯＵＴ１）から出力される切替信号と、同図（ａ）の二つの入力が信号切替手段８で選択される入力を示している。切替信号は同期信号のパルスの立上がりのタイミングで、高レベルと低レベルが交互に切替わる信号である。
【００６９】
同図（ｃ）は、信号切替手段８の出力波形で、入力との関係が分かるように破線で入力Ａと入力Ｂの波形を示している。出力は入力Ａと入力Ｂが切替信号によって交互に切替えられて出力されるが、このときフィルタ回路８ｂ１の作用で切替時に信号がなまった波形となる。
【００７０】
同図（ｄ）は、マイクロコンピュータ９のＡＤ変換処理のタイミングとその時ＡＤ変換される入力を示している。
【００７１】
図より、入力Ａおよび入力ＢのＡＤ変換処理は切替信号の２周期に一回実行される。これは、従来例と同様である。
【００７２】
しかしながら、本発明では、入力Ａ、入力Ｂは低速度で変化する誘導加熱部３、４の負荷温度であり、信号切替手段８を経由する全てのアナログ信号は低速度で変化するアナログ信号なので、処理も低速で良いため問題を生じない。
【００７３】
一方、高速度で変化するコイル電流、入力電流、電源電圧は直接ＡＤ入力端子（ＡＤ１）、（ＡＤ２）、（ＡＤ５）、（ＡＤ６）、（ＡＤ８）に接続されているので、即座に処理が可能である。
【００７４】
次に、第二の実施例を説明する。
【００７５】
図３は本発明の第二の実施例の主要部概略ブロック図であり、三つの誘導加熱部と一つの抵抗加熱部を備えた構成である。
【００７６】
この実施例では、図示していない３、４、１２の誘導加熱部と５の抵抗加熱部を備えている。
【００７７】
３ｅ、４ｅ、１２ｅは誘導加熱部３、４、１２のコイル電流検出回路で、後記マイクロコンピュータ９のＡＤ入力端子（ＡＤ１）、（ＡＤ２）、（ＡＤ３）に直接接続される。３ｊ、４ｊ、１２ｊは誘導加熱部３、４、１２の入力電流検出回路で、後記マイクロコンピュータ９のＡＤ入力端子（ＡＤ４）、（ＡＤ５）、（ＡＤ６）に直接接続される。
【００７８】
６は電源電圧検出回路で、後記マイクロコンピュータ９のＡＤ入力端子（ＡＤ７）に直接接続される。
【００７９】
３ｂ、４ｂ、１２ｂは誘導加熱部３、４、１２の負荷温度検出回路で、後記信号切替手段８の入力に接続される。３ｈ、４ｈ、１２ｈは誘導加熱部３、４、１２のスイッチング素子温度検出回路で、後記信号切替手段８の入力に接続される。５ｅは抵抗加熱部負荷温度検出回路で、後記信号切替手段８の入力に接続される。
【００８０】
８は内部に７入力のスイッチ回路を一つと出力部に一つのフィルタ回路を有する信号切替手段で、その出力が後記マイクロコンピュータ９のＡＤ入力端子（ＡＤ８）に接続される。
【００８１】
９は８本のＡＤ入力端子（ＡＤ１）〜（ＡＤ８）を有し、制御回路全体を制御するマイクロコンピュータである。マイクロコンピュータ９の出力端子（ＯＵＴ１）は信号切替手段８と接続されている。
【００８２】
この実施例では、アナログ信号が１４本あり、これらを高速度で変化する信号の順に順位付けを行うと、電源周期より高速度で変化するコイル電流、入力電流、電源電圧、次に電源周期より低速度で変化する抵抗加熱部負荷温度、スイッチング素子温度、誘導加熱部の負荷温度の順となる。
【００８３】
従って、前記したように、コイル電流、入力電流、電源電圧の各検出回路出力計７本を直接ＡＤ入力端子に接続し、抵抗加熱部負荷温度、スイッチング素子温度および負荷温度の検出回路出力計７本を信号接続手段８を経由してＡＤ入力端子に接続する構成としている。
【００８４】
この実施例では、高速度で変化するコイル電流、入力電流、電源電圧を直接ＡＤ入力端子に接続しているので、これらを高速に処理することが可能で、問題が生ずることはない。
【００８５】
また、信号切替手段８に接続されるアナログ信号が７本あるので、各アナログ信号のＡＤ変換処理は切替信号の７周期に一回実行され、第一の実施例より低速な処理となるが、これらのアナログ信号は低速度で変化する信号なので、問題が生ずることはない。
【００８６】
さらに、雰囲気温度の検出回路を備えて、雰囲気温度が高温になるに従い加熱出力のレベルを調整して搭載部品の温度的保護を図る誘導加熱調理器においては、雰囲気温度を他のアナログ信号に加えて同様に構成する。
【００８７】
以上は誘導加熱方式が電流共振形の場合について説明したが、他の誘導加熱方式として電圧共振形があり、電圧共振形の場合は入力電流に代えてスイッチング素子端子間の共振電圧と、加熱コイルのコイル電流、電源電圧等の組合せで構成すればよい。
【００８８】
また、実施例では一つの抵抗加熱部５を備えた構成としたが、複数の抵抗加熱部５を備え、夫々の抵抗加熱部５に負荷温度を直接あるいは間接に検出する抵抗加熱部負荷温度検出回路５ｅを備え、前記抵抗加熱部負荷温度検出回路５ｅから出力されるアナログ信号を含めて、高速度で変化する信号の順に順位付けを行う構成も考えられる。
【００８９】
前記実施例以外のアナログ信号を有する場合でも、信号切替手段（８）を経由してＡＤ入力端子に接続される同種のアナログ信号を有する場合、同種のアナログ信号を信号切替手段（８）内の一つのスイッチ回路を経由してＡＤ入力端子に接続する構成とすればよい。これにより、同種のアナログ信号のソフトウェア処理の共通化を図ることができる。
【００９０】
信号切替手段８内のスイッチ回路は、前記した構成だけでなく、種々の回路数、入力数を備えたアナログマルチプレクサＩＣがあるので、実施する誘導加熱調理器に合わせて選択すれば、簡便な構成が可能である。
【００９１】
本発明によれば、誘導加熱の方式、誘導加熱部の数、抵抗加熱部の数に寄らずこれらを組合せたほとんどの誘導加熱調理器について対応が可能で、目的を達成することができる。
【００９２】
【発明の効果】
以上述べたように、本発明の誘導加熱調理器によれば、各部の電圧、電流または温度を検出してアナログ信号で出力する検出回路を有する複数の誘導加熱部と、商用電源のゼロクロス点に同期した信号を出力する同期信号発生回路と、電源電圧を検出してアナログ信号で出力する検出回路と、アナログ信号をデジタル値に変換する複数のＡＤ入力端子を有するマイクロコンピュータと、前記ＡＤ入力端子の前段に配される信号切替手段とを備えた誘導加熱調理器において、前記複数の検出回路から出力される複数のアナログ信号を高速度で変化する信号の順に順位付けして、順位の高いアナログ信号は優先的に直接前記ＡＤ入力端子に接続し、その他のアナログ信号は前記信号切替手段を経由して前記ＡＤ入力端子に接続する構成とし、前記マイクロコンピュータは前記同期信号発生回路の信号に同期した切替信号を出力して前記信号切替手段に接続されたアナログ信号を周期的に切替えて前記ＡＤ入力端子に接続するので、高速度で変化するアナログ信号を高速に処理することが可能となる。
【００９３】
具体的には、順位の高いアナログ信号は、前記検出回路で検出されるコイル電流、入力電流、電源電圧の全部又は一部を含む構成としたので、高速度で変化するコイル電流、入力電流などを遅れることなく高速に処理が可能となり、スイッチング素子等が過電流、過電圧などの過負荷となって機器の故障となることを防止し、信頼性を向上させるという効果が得られる。
【００９４】
さらに、一つあるいは複数の抵抗加熱部も備えた場合には、夫々の抵抗加熱部に負荷の温度を直接あるいは間接に検出する負荷温度検出回路を備え、前記負荷温度検出回路から出力されるアナログ信号を含めて順位付けを行う構成としたので、誘導加熱の方式、誘導加熱部の数、抵抗加熱部の数に寄らずこれらを組合せたほとんどの誘導加熱調理器について対応が可能となる効果も得られる。
【００９５】
また、信号切替手段を経由して前記ＡＤ入力端子に接続される同種のアナログ信号を有する場合、同種のアナログ信号を信号切替手段内の一つのスイッチ回路を経由して前記ＡＤ入力端子に接続する構成としたので、アナログ信号のソフトウェア処理の共通化を図ることが可能となる効果も得られる。
【００９６】
そして、これらの効果がコストアップすることなく実現できるものである。
【図面の簡単な説明】
【図１】本発明の第一の実施例の回路ブロック図である。
【図２】本発明の第一の実施例の主要部の各信号及び処理の関連を示す図である。
【図３】本発明の第二の実施例の主要部概略ブロック図である。
【図４】従来例の二つの誘導加熱部を有する誘導加熱調理器の主要部概略ブロック図である。
【図５】従来例の主要部の各信号及び処理の関連を示す図である。
【符号の説明】
１  商用電源
２  負荷
３、４  誘導加熱部
３ａ、４ａ  負荷温度センサ
３ｂ、４ｂ  負荷温度検出回路
３ｃ、４ｃ  加熱コイル
３ｄ、４ｄ  コイル電流センサ
３ｅ、４ｅ  コイル電流検出回路
３ｆ、４ｆ  スイッチング素子
３ｇ、４ｇ  スイッチング素子温度センサ
３ｈ、４ｈ  スイッチング素子温度検出回路
３ｉ、４ｉ  入力電流センサ
３ｊ、４ｊ  入力電流検出回路
３ｋ、４ｋ  誘導加熱制御手段
５  抵抗加熱部
５ａ  ヒータ
５ｂ  スイッチング素子
５ｃ  ヒータ制御回路
５ｄ  抵抗加熱部負荷温度センサ
５ｅ  抵抗加熱部負荷温度検出回路
６  電源電圧検出回路
７  同期信号発生回路
８  信号切替手段
８ａ１、８ａ２  スイッチ回路
８ｂ１、８ｂ２  フィルタ回路
９  マイクロコンピュータ
１０  表示部
１１  入力部
【図１】
0003806598.tif 000002
【図２】
0003806598.tif 000003
【図３】
0003806598.tif 000004
【図４】
0003806598.tif 000005
【図５】
0003806598.tif 000006